(57)【要約】【課題】  従来のヒータランプ制御方法は、ヒータランプへの通電中にパワーオン／オフスイッチによって装置が遮断された場合、通電中にリレーが反転し、冷えたヒータランプに通電することとなるため、大きな突入電流が流れることになり、ヒータランプ切替リレーが溶着するなどのダメージを与える原因となっており、また、ヒータランプへの給電と同じ系統にブロアなどの負荷が接続されている場合、交流給電を遮断しても、ブロアによって発電された電圧が生じる場合も、リレーが切り替わることで突入電流が流れることがあった。【解決手段】  本発明は、パワーオン／オフスイッチ等によって電源が遮断された場合、低圧電源などによって供給される制御用電圧が降下し、制御不能になる前にヒータランプへの通電をオフするとともに、制御用電圧が降下する際にリレーが切り替わらないように信号を固定することを特徴とする。【選択図】  図３
2006330454.tif 000002
【特許請求の範囲】
【請求項１】
用紙上に乗ったトナーを熱によって定着するヒートロールと該ヒートロールに熱を与える複数のヒータランプと印刷する用紙の幅によって使用するヒータランプを切り替えるリレー等のスイッチ素子と、直流電圧の給電を行う低電圧電源の直流電圧が低下すると自動的にＲｅｓｅｔ信号が発行されるＲｅｓｅｔ回路と、前記ヒータランプに電流を流すためにＩＧＢＴ等の半導体部品等によって、前記ヒータランプへの突入電流を制限するよう制御されたヒータランプ駆動回路を有する電子写真式印刷装置において、前記直流電圧の給電が低下した時、前記Ｒｅｓｅｔ信号が発行される前に出力されるＰｒｅ−Ｐｏｗｅｒ  ＯＦＦ信号によって、ヒータランプ駆動回路への交流電圧を遮断することを特徴とするヒータランプ制御装置。
【請求項２】
前記ヒータランプ駆動回路への交流電圧給電をリレーなどのスイッチ素子を用い、前記Ｐｒｅ−Ｐｏｗｅｒ  ＯＦＦ信号によって前記スイッチ素子を切り替えることで前記ヒータランプ駆動回路への交流電圧を遮断することを特徴とする請求項１記載のヒータランプ制御装置。
【請求項３】
複数のヒータランプと前記ヒータランプを切り替える前記スイッチ素子と該スイッチ素子を切り替える選択信号を発行する制御回路を有し、前記直流電源の出力が降下する際に前記Ｐｒｅ−Ｐｏｗｅｒ  ＯＦＦ信号を発行する回路を有する制御基板内の回路初期化信号を用いて、前記スイッチ素子の状態を保持することを特徴とする請求項１記載のヒータランプ制御装置。
【請求項４】
前記Ｐｒｅ−Ｐｏｗｅｒ  ＯＦＦ信号は前記制御基板の制御電圧である直流電圧が降下する前に出力され、前記Ｐｒｅ−Ｐｏｗｅｒ  ＯＦＦ信号を発行する回路は前記低圧電源内に実装、生成されることを特徴とする請求項１記載のヒータランプ制御装置。
【請求項５】
前記ヒータランプ駆動回路への前記交流電圧を遮断する素子に、高容量リレーを使用することを特徴とする請求項１記載のヒータランプ制御装置。
【請求項６】
前記高容量リレーは前記印刷装置全体のインタロックスイッチによって装置操作者に危険を及ぼさないよう給電を遮断するスイッチ素子と共用することを特徴とする請求項５記載のヒータランプ制御装置。
【発明の詳細な説明】
【技術分野】
【０００１】
本発明は、プリンタや複写機などの電子写真式印刷装置におけるヒータランプ制御装置に関するものである。
【背景技術】
【０００２】
従来のヒータランプ制御装置について図１の概略構成図と図２のタイミングチャートを用いて説明する。
【０００３】
図１により、ヒータランプ制御装置の概略構成を説明する。図１の概略構成図は、プリンタや複写機などの電子写真式印刷装置の一部を示すものであり、本発明に大きく関与しない部位については省略して示してある。
【０００４】
外部電源設備より供給される交流給電１０より印刷装置１４の直流電力を賄う低圧電源９に給電される。パワーオンスイッチ１１がオンすると、低圧電源９は印刷装置１４全体の制御を行う制御基板８に直流電圧を給電する。また、交流給電１０は用紙上に載ったトナーを加圧・加熱し、用紙に定着させるヒートロール１と加圧ロール４からなる定着部を加熱するヒータランプ２、ヒータランプ３への給電オン、オフを行うヒータドライバ５や装置内の清掃などを行う交流ブロア１２に給電する交流供給リレー７へ給電される。
【０００５】
ヒータドライバ５は、一方の相をヒータランプ２及びヒータランプ３へ接続し、もう一方の相をヒータランプ切替リレー６に接続する。また、ヒータドライバ５へのヒータランプオン・オフは、図示しないヒートロール温度センサ信号によってヒートロール１の表面温度が一定に保たれるよう制御基板８からの制御信号によって制御される。ヒータランプ切替リレー６は、ヒータランプ２とヒータランプ３を切り替えるスイッチ素子であり、ここでは１Ｃタイプの接点構成を有するリレーを示す。印刷する用紙幅等によって、ヒータランプ２とヒータランプ３は選択され、切替は制御基板８によって選択・制御される。
【０００６】
次に、図２のタイミングチャートにより動作を説明する。Ｈ／Ｌで示す各信号は全て”Ｈ”で意味ありを示す。
【０００７】
パワーオンスイッチ１１をオフするとＰｏｗｅｒ  Ｏｎ−Ｐ信号がＬになる（状態１）。その後、低圧電源９の出力電圧である＋５Ｖ電圧が降下し、４．２５Ｖになると制御基板８内のリセット回路が動作し、Ｒｅｓｅｔ−Ｐ信号が”Ｈ”となる（状態２）。Ｒｅｓｅｔ信号が”Ｈ”になると、制御基板８内の回路が初期化されるため、ヒータランプ切替リレー６は初期状態となる。ここで、ヒータランプ切替リレー６が１Ｃタイプの接点構成を有し、ノーマリーオープン（ＮＯ）端子側に接点が接続されている状態（図２のＬａｍｐ  Ｂ側の状態）の場合、回路が初期化されるとノーマリークローズ（ＮＣ）端子側に接点が移動する。この時ヒータランプ２は冷えている状態であるため、大きな突入電流であるＹ（Ａ）の電流が流れる。大きな突入電流が流れるとヒータランプ切替リレー６の接点に大きな電流が流れ接点にダメージを与えてしまう。
【０００８】
ここで、パワーオンスイッチ１１をオフしても、ヒータドライバ５への交流給電が遮断されない要因としては、ヒータランプへの駆動をオフしても電流が流れつづけるような駆動回路を有する場合（例えば、特許文献１参照）や、図１に示すように、ヒータドライバ８と同じ交流接続系統に交流ブロア１２のようにモータ回転中に交流給電を遮断しても直ぐに停止できない負荷が有る場合は、パワーオンスイッチ１１をオフしても一定期間交流が供給され続け大きな突入電流が発生する要因となる。
【０００９】
【特許文献１】特開２０００−１５０１１０号公報
【発明の開示】
【発明が解決しようとする課題】
【００１０】
従来のヒータランプ制御装置は、ヒータランプへの通電中にパワーオン／オフスイッチによって装置が遮断された場合、通電中にリレーが反転し、冷えたヒータランプに通電することとなる。この場合、ヒータランプは冷えているため大きな突入電流が流れることになり、ヒータランプ切替リレーが溶着するなどのダメージを与える原因となっていた。
【００１１】
また、ヒータランプへの給電と同じ系統にブロアなどの負荷が接続されている場合、交流給電を遮断しても、ブロアによって発電された電圧が生じる場合も、リレーが切り替わることで突入電流が流れることがあった。
【課題を解決するための手段】
【００１２】
上記課題は、パワーオン／オフスイッチ等によって電源が遮断された場合、低圧電源などによって供給される制御用電圧が降下し、制御不能になる前にヒータランプへの通電をオフすると共に、制御用電圧が降下する際にリレーが切り替わらないように信号を固定することにより解決される。
【発明の効果】
【００１３】
本発明のヒータランプ制御装置によれば、複数のヒータランプを有しヒータランプをリレーなどのスイッチ素子で切り替えて使用するプリンタや複写機などの装置を、印刷中や印刷待機中に関わらず装置使用者が装置の電源を遮断しても、スイッチ素子を大型化することなく、ヒータランプの容量に適したスイッチ素子を用いることが出来る。また、スイッチ素子へのダメージ（リレーを使用する場合には接点の溶着などを起こすダメージ）を与えることが無い。これにより信頼性の高い装置を提供することが出来る。
【発明を実施するための最良の形態】
【００１４】
以下に、本発明の実施例を図１、図３、図４を用いて説明する。
【実施例１】
【００１５】
図３は、本発明の一実施例を示すタイミングチャートでありＨ／Ｌで示す各信号は全て”Ｈ”で意味ありを示す。なお、図１は前述したので詳細な説明は省略する。
【００１６】
パワーオンスイッチ１１がオフされ、Ｐｏｗｅｒ  Ｏｎ−Ｐ信号が”Ｌ”になると、低圧電源９よりＰｒｅ−Ｐｏｗｅｒ  ＯＦＦ−Ｐ信号が発行され、”Ｈ”となる。Ｐｒｅ−Ｐｏｗｅｒ  ＯＦＦ−Ｐ信号は、低圧電源９の＋５Ｖが降下する２０（ｍｓ）以上前に”Ｈ”となる（状態３）。Ｐｒｅ−Ｐｏｗｅｒ  ＯＦＦ−Ｐ信号を受け取った制御基板８は、交流供給リレー７を駆動する図示しないトランジスタにてオフする。これにより交流Ｉｎｐｕｔ  Ｒｅｌａｙ
ＯＮ−Ｐ信号は”Ｌ”となり、ヒータドライバ５及び交流ブロア１２への交流給電を遮断する。ヒータドライバ５への交流給電が遮断されると、ヒータランプ３に流れていた電流（Ｈｅａｔｅｒ  Ｌａｍｐ  Ｃｕｒｒｅｎｔ１）は流れなくなる。
【００１７】
ここで、交流供給リレー７は、通常時はヒータドライバ５及び交流ブロア１２への交流電圧の供給を行っており、また、印刷装置１４のインタロックスイッチ１３がオフされた時に、装置操作者への感電などの危険を与えないようヒータランプ２，３等への給電を遮断するリレーを兼ねている。
【００１８】
その後、低圧電源９の＋５Ｖ電圧が降下し、制御基板８内のＲｅｓｅｔ回路がＲｅｓｅｔ−Ｐ信号を発行しても、ヒータドライバ５へは通電していないため突入電流が流れることは無い（状態４）。
【００１９】
状態４は、本実施例では印刷装置１４が印刷停止中（交流ブロア１２が停止中）の場合であり、また交流ブロア１２等の交流給電を遮断しても、直ぐに回転を停止しない機器が接続されていない装置の場合を示す（ケース１）。
【００２０】
一方、ケース２では印刷装置１４が印刷中や印刷起動時またはパワーオン直後の初期状態時のようにブロア１２が回転している時にパワーオンスイッチ１１をオフし、ヒータドライバ５への給電が遮断されても、交流ブロア１２が回転している為、交流ブロア１２が発電機となりヒータドライバ５への交流電圧が供給される状態となる。この場合、Ｒｅｓｅｔ−Ｐ信号が入力された時のヒータランプ切替リレー６の状態を保持する回路を制御基板８内に設ける。
【００２１】
ヒータランプ切替リレー６の状態を保持する回路の一例とタイミングチャートを図４に示す。詳細な説明は省略するが、Ｒｅｓｅｔ−Ｐ信号が変化しＨｅａｔｅｒ  Ｓｅｌｅｃｔ  Ｂ−Ｐ信号が変化しても、Ｈｅａｔｅｒ  Ｓｅｌｅｃｔ  Ｒｅｌａｙ信号はＨｅａｔｅｒ  Ｂを選択した状態を保持する。
【００２２】
この回路によりパワーオンスイッチ１１をオフした後もヒータランプ切替リレー６が切り替わることが無いため突入電流を発生させることは無く、図３のＨｅａｔｅｒ  Ｌａｍｐ  Ｃｕｒｒｅｎｔ２に示すように交流Ｉｎｐｕｔ  Ｒｅｌａｙ  ＯＮ−Ｐが”Ｌ”になって以降は、交流ブロア１２の回転低下と共に電流が低下する。
【図面の簡単な説明】
【００２３】
【図１】本発明のヒータランプ制御装置の概略構成を示す図である（実施例１）。
【図２】従来のヒータランプ制御装置を示すタイミングチャートである。
【図３】本発明のヒータランプ制御装置のタイミングチャートである（実施例１）。
【図４】本発明のヒータランプ制御装置の制御回路及びタイミングチャートである（実施例１）。
【符号の説明】
【００２４】
１はヒートロール、２はヒータランプ、３はヒータランプ、４は加圧ロール、５はヒータドライバ、６はヒータランプ切替リレー、７は交流供給リレー、８は制御基板、９は低圧電源、１０は交流給電電源、１１はパワーオンスイッチ、１２は交流ブロア、１３はインタロックスイッチ、１４は印刷装置である。
【図１】
2006330454.tif 000003
【図２】
2006330454.tif 000004
【図３】
2006330454.tif 000005
【図４】
2006330454.tif 000006